(57)【特許請求の範囲】
【請求項１】
走行機体に機枠を連結し、該機枠に圃場面に溝切り可能な溝切体を設け、機枠に溝切体の進行方向前方位置に圃場面に散在する藁屑等の圃場散在物を側方に排出可能な前処理部材を回転自在に設け、該前処理部材を回転させる駆動機構を設け、かつ該機枠に溝切体の進行方向後方位置に圃場土を掬い取って側方に排出可能なすき部材を設けてなり、上記機枠を振動させる振動機構を設け、該振動機構として上記前処理部材に偏心重錘体を配設して構成したことを特徴とする圃場溝掘機。
【請求項２】
上記機枠に上記すき部材の溝掘抵抗による機枠の浮上を抑制可能な重錘を着脱自在に配設して構成したことを特徴とする請求項１記載の圃場溝掘機。
【発明の詳細な説明】
【０００１】
【発明の属する技術分野】
本発明は例えば水田等の圃場に水はけ用の溝を形成する圃場溝掘機に関するものである。
【０００２】
【従来の技術】
従来この種の圃場溝掘機としては、実公昭３９ー３５３２３号公報、実公昭４２ー１６３２３号公報、実公昭４３ー６９８２号公報の如く、走行機体に機枠を設け、該機枠に回転する耕耘爪を設け、耕耘爪により圃場土壌を耕起破砕するとともに同時にはね飛ばして溝掘りするように構成されたものが知られている。
【０００３】
また他の従来構造としては上記機枠にすき部材を設け、走行機体の走行によって、すき部材で溝掘りするように構成したものもある。
【０００４】
上記耕耘爪を用いる構造の場合、耕起破砕作用は良好なものの遠心力によるはね飛ばし作用のためその耕耘土が残って溝掘跡は必ずしも満足されたものでなく、またすき部材を用いるものにあっては走行機体の牽引力が過大となり、一般の農家では購入し難い大型の走行機体にしなければならないことから、実公昭５９ー１０２１４号公報に示す如く、すき部材の進行方向前方位置に溝切体を対向配置し、すき部材による溝掘抵抗を緩和する構造のものが提案され、また上記溝切体を強制回転させる構造も提案されている。
【０００５】
又、特開平５−１６１４０３号公報の如く、走行機体の進行に伴って溝切体により圃場面を溝切り作業するに際し、圃場面に散在する藁屑等が溝切りを阻害するため、溝切体の進行方向前方位置に圃場面に散在する藁屑等を側方に排出可能な前処理部材を設けたものも知られている。
【０００６】
【発明が解決しようとする課題】
【０００７】
しかしながら上記従来構造の場合、すき部材の進行方向前方位置に溝切体を対向配置し、すき部材による溝掘抵抗を緩和する構造となっているが、圃場土の条件によっては、溝切体の溝切抵抗が大きく、作業進行が阻害され、それだけ作業能率が低下することがあるという不都合を有している。
【０００８】
【課題を解決するための手段】
本発明はこれらの不都合を解決することを目的とするもので、本発明のうち、請求項１記載の発明は、走行機体に機枠を連結し、該機枠に圃場面に溝切り可能な溝切体を設け、機枠に溝切体の進行方向前方位置に圃場面に散在する藁屑等の圃場散在物を側方に排出可能な前処理部材を回転自在に設け、該前処理部材を回転させる駆動機構を設け、かつ該機枠に溝切体の進行方向後方位置に圃場土を掬い取って側方に排出可能なすき部材を設けてなり、上記機枠を振動させる振動機構を設け、該振動機構として上記前処理部材に偏心重錘体を配設して構成したことを特徴とする圃場溝掘機にある。
【０００９】
又、請求項２記載の発明は、上記機枠に上記すき部材の溝掘抵抗による機枠の浮上を抑制可能な重錘を着脱自在に配設して構成したことを特徴とするものである。
【００１０】
【発明の実施の形態】
図１乃至図７は本発明の実施の形態例を示し、１は走行機体、この場合トラクタであって、走行機体１の後部には連結機構２により機枠３が連結され、機枠３は支持機枠３ａと作業機枠３ｂからなり、支持機枠３ａに作業機枠３ｂを退避機構４により作業位置と退避位置とに姿勢変更自在に配設し、この場合退避機構４は支持機枠３ａに作業機枠３ｂを支点軸４ａにより回動自在に枢着し、支持機枠３ａに挿通穴４ｂを形成すると共に作業機枠３ｂに挿通穴４ｃを形成し、挿通穴４ｂ・４ｃに挿通可能な係止ピン４ｄを形成し、支持機枠３ａと作業機枠３ｂとの間に作業機枠３ｂを支点軸４ａを中心として引上退避回動させるバネ部材４ｅを架設し、挿通穴４ｂ・４ｃに係止ピン４ｄを挿通することにより作業機枠３ｂを作業位置に固定すると共に係止ピン４ｄを挿通穴４ｂ・４ｃから抜き取ることにより作業機枠３ｂをバネ部材４ｅにより退避位置に引上回動させるように構成され、又、この連結機構２は左右の下部リンク５、上部リンク６、吊上リンク７から構成されている。
【００１１】
７・８は一対の溝切体であって、外周部に数個の刃部７ａ・８ａを切欠して有し、前記作業機枠３ｂの下端部に車筒９を取付け、車筒９に車軸１０を回転自在に軸受し、車軸１０の左右両端部に溝切体７・８を所定間隔を置いて取付けて構成している。
【００１２】
１１はすき部材であって、この場合すき部材１１の先端部幅は前記溝切体７・８間の幅と略同幅に形成され、すき部材１１の先端部は先細削取部１１ａに形成されるとともに後部は削取土を側方に排出するようにひねった排出部１１ｂに形成されている。
【００１３】
この場合前記作業機枠３ｂの下部にＵ状の取付アーム１２の先端部を支持軸１３により枢着し、作業機枠３ｂの上部にピン１４によりナット体１５を枢着すると共に回動自在に設け、ナット体１５に螺杆１６を螺着し、ハンドル１７の回動によりナット体１５を回動して螺杆１６を上下動自在に設け、取付アーム１２の中程部に螺杆１６の下端部をピン１８により枢着し、取付アーム１２にすき部材１１をボルト１９により取付けて構成している。
【００１４】
２０は安定部材であって、この場合安定部材２０には圃場面ａに当接可能な当接板面２０ａ及び掘り取られた溝Ｗの内側面Ｗ1に当接可能な側当接板面２０ｂが形成され、上記取付アーム１２の後面に支持片２１を突設し、安定部材２０に連結片２２を形成し、支持片２１と連結片２２とを連結ピン２３により連結し、これにより安定部材２０を取付アーム１２に若干揺動自在に取り付けている。
【００１５】
２４は前処理部材であって、この場合取付円盤２４ａと、取付円盤２４ａに放射状に複数個の排出部材２４ｂをボルト２４ｃにより取り付けてなり、駆動機構２５により回転駆動され、この場合機枠３としての支持機枠３ａに回転軸２６を軸受２７により横架し、走行機体１たるトラクタの動力取出軸２８と回転軸２６とを自在継手２９により連結し、回転軸２５に取付円盤２４ａを取付け、機枠３にカバー部材３０を取り付けて構成したものである。
【００１６】
３１は振動機構であって、この場合上記前処理部材２４の取付円盤２４ａに扇板状の偏心重錘体３２をボルト３３により偏位状態で取付けて構成している。
【００１７】
３４は重錘であって、前記機枠３としての支持機枠３ａの後部寄りに着脱自在に搭載され、重錘３４の自重によりすき部材１１の溝掘抵抗による機枠３の浮上を抑制するものである。
【００１８】
この実施の形態例は上記構成であるから、走行機体１により溝切体７・８の下部及びすき部材１１の下部を圃場ａ内に穿入しつつ機枠３を走行すると、溝切体７・８は連れ回り回転しつつ進行して圃場面ａに二条の条溝Ｒを切り、この場合刃部７ａ・８ａにより溝切抵抗が軽減され、この二条に溝切りされた間の土壌はその後方のすき部材１１により削取されて側方に排出され、この結果圃場に溝Ｗを掘る作業をすることができ、先ず溝切体７・８で溝切りし、そしてこれをすき部材１１が削取して掘取土Ｔを側方に排出するため溝掘抵抗を軽減でき、走行機体１の牽引力増加を抑制でき、かつ溝切体７・８の進行方向前方位置の圃場面ａに散在する藁屑、株等の圃場散在物Ｅは前処理部材２４により側方に排出され、それだけ溝切体７・８の溝切抵抗及びすき部材１１の溝掘抵抗を軽減することができ、更に、振動機構３１により機枠３を介して溝切体７・８に振動が付与され、それだけ溝切体７・８の圃場面ａ内への穿入が良好となって溝切りが良好になされ、溝掘作業の作業性を向上することができる。
【００１９】
又、この場合、上記機枠３に前処理部材２４を回転自在に取付け、前処理部材２４を回転させる駆動機構２５を設け、振動機構３１として前処理部材２４に偏心重錘体３２を取り付けて構成しているから、前処理部材２４の回転により圃場散在物Ｅを円滑に側方に排出することができると共に偏心重錘体３２により簡素な構造によって振動作用を得ることができ、又、この場合機枠３に重錘３４を着脱自在に取り付けているので、すき部材１１の溝掘抵抗による機枠３の浮上を抑制することができ、すき部材１１による溝掘りを良好に行うことができる。
【００２０】
またこの際に安定部材２０の当接板面２０ａは掘り取られた溝Ｗに近い圃場面ａ上に当接しつつ進行するため、すき部材１１の高低を安定なものとすることができ、圃場土の状態によってすき部材１１が過大に圃場泥土を掬い取って牽引力が増加することを抑制でき、溝Ｗの深さを一定に保つ作用を得ることになり、また安定部材２０の当接板面２０ａはすき部材１１の進行方向後方に位置しているから、圃場面等に散在する藁屑等の圃場散在物Ｅの絡み付きが少なくなり、さらに安定部材２０の側当接板面２０ｂは掘り取られた溝Ｗの内側面Ｗ1に当接可能なためすき部材１１並びに溝切体７・８の横振れを抑えることができ、溝掘り作業を良好に行うことができる。
【００２１】
尚、上記実施の形態例では溝切体７・８を二枚一対の溝切体としているが、溝切体７・８をなた刃状の溝切刃としたり、一方の溝切体だけとすることもあると共に溝切体を強制回転させる構造とすることもあり、また上記実施の形態例では一対の溝切体７・８及びすき部材１１を一組配置しているが二組以上とすることもあり、又、振動機構３１としては、油圧バイブレータ等の他の機構を採用することもできる。
【００２２】
【発明の効果】
本発明は上述の如く、請求項１記載の発明にあっては、走行機体により溝切体の下部及びすき部材の下部を圃場内に穿入しつつ機枠を走行することにより、溝切体は回転しつつ進行して圃場面に状溝が切られ、溝切りされた土壌はその後方のすき部材により削取されて側方に排出され、この結果圃場に溝を掘る作業をすることができ、かつ溝切体の進行方向前方位置の圃場面に散在する藁屑、株等の圃場散在物は前処理部材により側方に排出され、それだけ溝切体の溝切抵抗及びすき部材の溝掘抵抗を軽減することができ、走行機体の牽引力増加を抑制することができ、更に、振動機構により機枠を介して溝切体に振動が付与され、それだけ溝切体の圃場面内への穿入が良好となって溝切りが良好になされ、溝掘作業の作業性を向上することができ、かつ、上記機枠に前処理部材を回転自在に取付け、前処理部材を回転させる駆動機構を設け、振動機構として前処理部材に偏心重錘体を取り付けて構成しているから、前処理部材の回転により圃場散在物を円滑に側方に排出することができると共に偏心重錘体により簡素な構造によって振動作用を得ることができる。
【００２３】
又、請求項２記載の発明にあっては、機枠に重錘を着脱自在に取り付けているので、すき部材の溝掘抵抗による機枠の浮上を抑制することができ、すき部材による溝掘りを良好に行うことができる。
【００２４】
以上の如く、所期の目的を充分達成することができる。
【図面の簡単な説明】
【図１】  本発明の実施の形態例の全体側面図である。
【図２】  本発明の実施の形態例の拡大側面図である。
【図３】  本発明の実施の形態例の部分平面図である。
【図４】  本発明の実施の形態例の部分縦断面図である。
【図５】  本発明の実施の形態例の部分分解斜視図ある。
【図６】  本発明の実施の形態例の部分側面図である。
【図７】  本発明の実施の形態例の部分斜視図である。
【符号の説明】
ａ  圃場
Ｅ  圃場散在物
Ｗ  溝
１  走行機体
３  連結機構
７  溝切体
８  溝切体
１１  すき部材
２４  前処理部材
３１  振動機構
３２  偏心重錘体
３４  重錘
【図１】
0003787665.tif 000002
【図２】
0003787665.tif 000003
【図３】
0003787665.tif 000004
【図４】
0003787665.tif 000005
【図５】
0003787665.tif 000006
【図６】
0003787665.tif 000007
【図７】
0003787665.tif 000008